(57)【要約】【課題】別部品を用いることなく、サイズの異なる点灯装置を容易に取付けることができる照明器具の点灯装置取付構造を提供する。【解決手段】点灯装置２１、２３には、点灯装置２１、２３の大きさおよび形状にかかわらず常に同じ配置で取付部２２、２４を設ける。この取付部２２、２４の配置は、器具本体１１の固定部材１３に設ける固定部１３１と、あるいは固定部１３１、１３２の一部と同じ配置なので、点灯装置２１、２３の取付部２２、２４を取付部材１３の固定部１３１に取付けることにより、別部品を用いることなく、サイズの異なる点灯装置２１、２３を容易に取付けることができる。【選択図】図２
2010108846.tif 000002
【特許請求の範囲】
【請求項１】
光源を点灯させる点灯装置を照明器具本体の固定部材に取り付ける照明器具の点灯装置取り付け構造であって、
前記固定部材には、複数の固定部が一定の位置に配置され、
前記点灯装置は、前記固定部材に取付けるための複数の取付部を有し、
複数の前記取付部が、前記点灯装置の大きさおよび形状にかかわらず、前記固定部材に設けられた複数の前記固定部と同じ配置またはその一部と同じ配置で設けられていることを特徴とする照明器具の点灯装置取付構造。
【請求項２】
前記点灯装置の幅方向寸法が常に一定であり、
複数の前記取付部を前記点灯装置の長手方向に沿って設け、
前記取付部の長手方向間隔が、前記点灯装置の形状にかかわらず一定であることを特徴とする請求項１記載の照明器具の点灯装置取付構造。
【請求項３】
前記複数の固定部に少なくとも１箇所の被係止部を設け、
前記取付部が、少なくとも１箇所の係止部と、少なくとも１箇所のネジ締結部と、を有することを特徴とする請求項１または２記載の照明器具の点灯装置取付構造。
【発明の詳細な説明】
【技術分野】
【０００１】
本発明は、点灯装置を照明器具本体に取付ける照明器具の点灯装置取付構造に関するものである。
【背景技術】
【０００２】
近年、省エネを目的とした安定器のリニューアル、あるいは安定器の寿命によるリニューアルが多く行われるようになり、安定器としてインバータ式が用いられるのが一般的になってきた。
さらに、省エネ性能の追求、コスト低減、器具形状の自由化を目的としてインバータ式安定器のサイズは小型化される方向にあり、電子部品の高性能化も相まって安定器の小型化は益々進んでいる。
このため、照明器具の安定器を交換する際には既設の安定器と新しい安定器とではサイズが異なることがしばしばある。
そこで、異なるサイズの安定器を取付けることができる照明器具の点灯装置取付構造が提案されている（例えば特許文献１参照）。
【０００３】
図４に示すように、特許文献１に記載の照明器具の点灯装置取付構造１００では、照明器具本体１０１に、安定器１０２を固定するための複数の安定器固定部（図示省略）が所定間隔で設けられており、図示されている安定器１０２よりも全長が長い安定器を取付けることができるようにその間隔が設定してある。
【０００４】
すなわち、安定器１０２を取付けるための複数の被固定部１０３は、器具本体１０１の安定器固定部に対応しておらず、取付具１０４を用いる。この取付具１０４は、安定器１０２に取付けられて器具本体１０１の複数の安定器固定部に固定することができる取付部１０５を有する。
【０００５】
この場合、取付具１０４は安定器１０２の全長より長い断面略溝状で、その両端近傍にそれぞれ取付部１０５を有する。また、取付具１０４は安定器１０２の被固定部１０３に取付けられる取付部１０６を有し、取付部１０５，１０６は切り起こして形成される。被固定部１０３は安定器１０２の取付台部１０７に穿設した穴である。
【０００６】
従って、安定器１０２を器具本体１０１に取付けるのは、まず、安定器１０２の取付台部１０７を取付具１０４の溝内に嵌合させた状態で、取付部１０６を被固定部１０３に挿通してかしめることにより固定する。そして、取付部１０５と安定器固定部を整合させて同様に加締めるまたは他の固着手段を用いることで取付具１０４を器具本体１０１に固定する。
【０００７】
これにより、取付具１０４の取付部１０６を器具本体１０１の安定器固定部に固定することで、形状が異なる安定器１０２を取付けることができる。この際、既存の安定器固定部を用いることができるので、器具本体１０１を変更する必要はなく容易に安定器１０２を交換できる。
【特許文献１】特開２００２−８４３３号公報（第１図）
【発明の開示】
【発明が解決しようとする課題】
【０００８】
しかしながら、前述した照明器具の点灯装置取付構造１００においては、形状が異なる安定器１０２を取付けることができるものの、取付具１０４が別途必要となり、部品点数が増加し、コストアップおよび取付作業の複雑化を招くという問題があった。
【０００９】
本発明は、従来の問題を解決するためになされたもので、別部品を用いることなく、サイズの異なる点灯装置を容易に取付けることができる照明器具の点灯装置取付構造を提供することを目的とする。
【課題を解決するための手段】
【００１０】
本発明の照明器具の点灯装置取付構造は、光源を点灯させる点灯装置を照明器具本体の固定部材に取り付ける照明器具の点灯装置取り付け構造であって、前記固定部材には、複数の固定部が一定の位置に配置され、前記点灯装置は、前記固定部材に取付けるための複数の取付部を有し、複数の前記取付部が、前記点灯装置の大きさおよび形状にかかわらず、前記固定部材に設けられた複数の前記固定部と同じ配置またはその一部と同じ配置で設けられた構成を有している。
【００１１】
この構成により、点灯装置には、点灯装置の大きさおよび形状にかかわらず常に同じ配置で取付部を設ける。この取付部の配置は、器具本体の固定部材に設ける固定部と、あるいは固定部の一部と同じ配置なので、点灯装置の取付部を取付部材の固定部に取付けることにより、別部品を用いることなく、サイズの異なる点灯装置を容易に取付けることができる。
【００１２】
また、本発明の照明器具の点灯装置取付構造は、前記点灯装置の幅方向寸法が常に一定であり、複数の前記取付部を前記点灯装置の長手方向に沿って設け、前記取付部の長手方向間隔が、前記点灯装置の形状にかかわらず一定である構成を有している。
【００１３】
この構成により、幅方向寸法が一定で長さが異なる点灯装置に設ける取付部を、長手方向の間隔が一定となるように設けることにより、点灯装置の形状や長さが変わっても、容易に取付けることができる。
【００１４】
さらに、本発明の照明器具の点灯装置取付構造は、前記複数の固定部に少なくとも１箇所の被係止部を設け、前記取付部が、少なくとも１箇所の係止部と、少なくとも１箇所のネジ締結部と、を有する構成を有している。
【００１５】
この構成により、器具本体の固定部に設けられた被係止部に、点灯装置の取付部に設けた係止部を係止し、取付部に設けたネジ締結部を固定部にネジ止めするので、容易に点灯装置を取付けることができる。
【発明の効果】
【００１６】
本発明は、点灯装置には、点灯装置の大きさおよび形状にかかわらず常に同じ配置で取付部を設ける。この取付部の配置は、器具本体の固定部材に設ける固定部と、あるいは固定部の一部と同じ配置なので、点灯装置の取付部を取付部材の固定部に取付けることにより、別部品を用いることなく、サイズの異なる点灯装置を容易に取付けることができるという効果を有する照明器具の点灯装置取付構造を提供することができるものである。
【発明を実施するための最良の形態】
【００１７】
以下、本発明の実施の形態の照明器具の点灯装置取付構造について、図面を用いて説明する。
【００１８】
（第１実施形態）
図１は本発明の第１の実施の形態にかかる照明器具の点灯装置取付構造を用いる照明器具の全体を示す斜視図、図２（ａ）はベースプレートの平面図、図２（ｂ）および（ｃ）は長さが異なる点灯装置を示す平面図である。
【００１９】
図１に示すように、照明器具１０は、例えば矩形箱状の器具本体１１を有し、下面には反射板１２が設けられ、上面には固定部材であるベースプレート１３が設けられている。反射板１２には対を成すソケット１５が取付けられており、光源である蛍光ランプ１４が取付けられる。ベースプレート１３には、蛍光ランプ１４を点灯させるための点灯装置２０等の電気部品が取付けられて、器具本体１１の内部に収容されている。
【００２０】
図２（ａ）に示すように、ベースプレート１３には、複数の固定部１３１、１３２が一定の位置に配置されている。なお、固定部１３１は後述する点灯装置２１，２３の固定に用いられるネジ穴を示しており、長手方向の間隔はＬｐ，幅方向の間隔はＷｐとなっている。一方、固定部１３２はここで取付けられる点灯装置２１，２３の固定には用いられないネジ穴を示している。従って、固定部１３２の配置は、図２（ａ）に示すものに限られない。
【００２１】
図２（ｂ）に示すように、点灯装置２１には取付部２２が２箇所設けられている。点灯装置２１の全長はＬａであり、２箇所の取付部２２の間隔は、長手方向にＬｐａ、幅方向にＷｐａである。
【００２２】
また、図２（ｃ）に示すように、点灯装置２２には取付部２４が２箇所設けられている。点灯装置２３の全長はＬｂであり、２箇所の取付部２４の間隔は、長手方向にＬｐｂ、幅方向にＷｐｂである。
【００２３】
ここで、図２（ａ）〜（ｃ）に示すように、ベースプレート１３に設けられている固定部１３１の間隔Ｌｐ、Ｗｐと、点灯装置２１に設けられている取付部２２の間隔Ｌｐａ、Ｗｐａと、点灯装置２３に設けられている取付部２４の間隔Ｌｐｂ、Ｗｐｂは全て等しい。すなわち、Ｌｐ＝Ｌｐａ＝Ｌｐｂ、Ｗｐ＝Ｗｐａ＝Ｗｐｂである。
【００２４】
従って、点灯装置２１，２３をベースプレート１３に取付けるには、ベースプレート１３に設けられている固定部１３１、１３２のうちの固定部１３１のみを用いればよい。固定部１３２は、使用されない。
【００２５】
以上、説明した第１実施形態にかかる照明器具の点灯装置取付構造によれば、点灯装置２１、２３には、点灯装置２１、２３の大きさおよび形状にかかわらず常に同じ配置で取付部２２、２４を設けた。この取付部２２、２４の配置は、ベースプレート１３に設けた固定部１３１と同じ配置、すなわち、固定部１３１、１３２の一部と同じ配置となっている。このため、点灯装置２１、２３の取付部２２、２４をベースプレート１３の固定部１３１に取付けることにより、別部品を用いることなく、サイズの異なる点灯装置２１、２３を容易に取付けることができる。
【００２６】
（第２実施形態）
次に、第２実施形態にかかる照明器具の点灯装置取付構造について説明する。
図３（ａ）は点灯装置の平面図、図３（ｂ）は点灯装置の端面図、図３（ｃ）はベースプレートの係止部の拡大図である。なお、前述した第１実施形態にかかる照明器具の点灯装置取付構造と共通する部位には同じ符号を付して、重複する説明を省略することとする。
【００２７】
図３に示すように、第２実施形態にかかる照明器具１０Ｂでは、ベースプレート１３の固定部の一部（ここでは１箇所）に被係止部１３３を設けた（図３（ｃ）参照）。被係止部１３３は、ベースプレート１３を切起して設けた。
また、点灯装置２５には、取付部としてネジ締結部２６と係止部２７を設けた。係止部２７は、ベースプレート１３の被係止部１３３を係止で切る形状であれば良いが、ここでは、Ｌ字状に突出した係止部２７を採用した。ネジ締結部２６と係止部２７との間隔は、長手方向がＬｐで、幅方向がＷｐであり、前述した第１実施形態の取付部２２、２３間隔と同じである。
【００２８】
従って、点灯装置２５をベースプレート１３に取付ける際には、まず、ベースプレート１３の被係止部１３３に、点灯装置２５の係止部２７を係止し、ネジ締結部２６をベースプレート１３の固定部１３１にネジ止めする。
【００２９】
以上、説明した第２実施形態にかかる照明器具の点灯装置取付構造においても、前述した第１実施形態にかかる照明器具の点灯装置取付構造と同様の効果を得ることができる。
さらに、ネジ止め箇所を減らすことができるので、取付作業が一層容易になる。
【００３０】
なお、本発明の照明器具の点灯装置取付構造は、前述した各実施形態に限定されるものでなく、適宜な変形，改良等が可能である。
例えば、前述した各実施形態においては、点灯装置２１、２３、２５として矩形のものを用い、取付部２２、２４を２箇所設けた場合について例示したが、点灯装置の形状や、取付部の箇所数はこれに限るものではない。
【００３１】
また、ベースプレート１３に設ける固定部１３１、１３２を３列以上設けることにより、幅寸法の異なる点灯装置についても、同様に容易に取付けることができる。
【図面の簡単な説明】
【００３２】
【図１】本発明の第１の実施の形態にかかる照明器具の点灯装置取付構造を用いる照明器具の全体を示す斜視図
【図２】（ａ）はベースプレートの平面図、（ｂ）および（ｃ）は長さが異なる点灯装置を示す平面図
【図３】（ａ）は本発明の第１の実施の形態にかかる照明器具の点灯装置取付構造を適用する点灯装置の平面図、（ｂ）は端面図、（ｃ）は係止部の拡大斜視図
【図４】従来の照明器具の点灯装置取付構造を示す斜視図
【符号の説明】
【００３３】
１０  照明器具
１１  照明器具本体
１３  ベースプレート（固定部材）
１３１、１３２  固定部
１３３  被係止部
１４  蛍光ランプ（光源）
２１、２３  点灯装置
２２、２４  取付部
２６  ネジ締結部
２７  係止部
【図１】
2010108846.tif 000003
【図２】
2010108846.tif 000004
【図３】
2010108846.tif 000005
【図４】
2010108846.tif 000006